(57)【要約】【課題】ペット小屋に設けたカーテン部材を、設けたまま出入口を開放状態に保てるようにする。【解決手段】ペット小屋（１）の出入口（６）を閉鎖するカーテン部材（２１）を、幅方向に分かれる複数のカーテン片（２９，３３）から構成する。各カーテン片（２９，３３）を捲り上げ又は巻き上げ可能に構成し、かつ、その下端部を小屋本体（２）に保持可能とする保持構造（１９）を設ける。保持構造（１９）の働きにより、出入口（６）を開放状態に保つことができる。【選択図】　　　図３【その他】実用新案法第１１条第１項で準用する特許法第３０条第１項の規定の適用を受けるための証明書は郵送で補足します。
0003097684.tif 000002
【実用新案登録請求の範囲】
【請求項１】
出入口を備えた小屋本体と、
当該小屋本体に対して取付構造を介して取り付けてあるカーテン部材と、を備え、
当該カーテン部材が、当該出入口を少なくとも部分的に閉鎖可能に、かつ、閉鎖した状態で当該出入口へのペット出入を可能に構成してある
ことを特徴とするペット小屋。
【請求項２】
前記取付構造が、前記カーテン部材を前記小屋本体に対して着脱可能に構成してある
ことを特徴とする請求項１記載のペット小屋。
【請求項３】
前記カーテン部材が、幅方向に分かれる複数のカーテン片から構成してあり、
当該カーテン片同士が、厚み方向に部分的に重なり合っている
ことを特徴とする請求項１又は２記載のペット小屋。
【請求項４】
前記カーテン部材が、前記出入口を閉鎖した状態から少なくとも部分的に開放した状態まで復帰可能に変形できるように構成してある
ことを特徴とする請求項１乃至３何れか記載のペット小屋。
【請求項５】
前記カーテン部材と前記小屋本体との間には、当該カーテン部材を前記出入口を少なくとも部分的に開放した状態のまま保持するための保持構造を設けてある
ことを特徴とする請求項３又は４記載のペット小屋。
【請求項６】
前記保持構造が、前記カーテン部材下方に設けた引っ掛け孔又はカーテンフックと、前記小屋本体に設けた本体フック又は引っ掛け部材と、を含むものである
ことを特徴とする請求項５記載のペット小屋。
【請求項７】
前記保持構造が、前記小屋本体に形成した前記簾カーテンの下端部を受入支持可能なスリットを含むものである
ことを特徴とする請求項５記載のペット小屋。
【考案の詳細な説明】
【０００１】
【考案の属する技術分野】
この考案は、小動物、すなわち、ペットを飼育するためのペット小屋に関するものである。特に詳しくは、出入口にかかるカーテン部材を備えるペット小屋に関するものである。
【０００２】
【従来の技術】
出入口にかかるカーテン部材を備えたペット小屋として、たとえば、特許文献１に記載されたものがある。このカーテン部材は、各々が複数個の帯状垂れ部分を有する一対の覆いカバー部から構成されており、風、雨及び雪等が出入口から進入することや寒さを防ぐことを目的としている。
【０００３】
【特許文献１】実開平７−２５７５２号（段落番号０００４、図２参照）
【０００４】
【考案が解決しようとする課題】
しかしながら、ペット小屋を設置した場所が常に風、雨、雪等にさらされるとは限らず、また、防寒のために設けたカーテン部材が比較的温度が高い夏季等においては通風を妨げ却って邪魔になることがある。また、散歩に連れていかれた等の理由により、ペットがペット小屋から離れたとき、たとえば、衛生上の問題から、ペットが留守の場合に、ペット小屋内に風を入れたいときがある。この点、上記した従来のカーテン部材では、たいへん不便である。すなわち、従来のカーテン部材は常に吊り下げた状態で取り付けられるものであるから、上記したような場合において通風を確保することができない。本考案が解決しようとする課題は、上記事態を解消するためになしたものである。すなわち、本発明は、第１に出入口を閉鎖して風、雨、雪等の進入と寒さを防ぐ機能の他に、何らかの理由により出入口を少なくとも部分的に開放させたままにしておきたいときに、それを可能にする機能を備えたペット小屋の提供を目的とする。
【０００５】
【課題を解決するための手段】
上記目的を達成するために本発明に係るペット小屋は、その出入口にカーテン部材を持ち、そのカーテン部材は、まず、ペット小屋の出入口を閉鎖可能に構成してあり、次に、それを取り外すことなく捲り上げたり巻き上げたりすることにより、その出入口を少なくとも部分的に開放状態に保てるように構成してある。その詳しい内容に付いては、項を改めて説明する。なお、何れかの請求項に係る考案の説明に当たって行う用語の定義等は、その性質上可能な範囲において他の請求項に係る考案にも適用されるものとする。
【０００６】
（請求項１記載の考案の特徴）
請求項１記載の考案に係るペット小屋は、出入口を備えた小屋本体と、当該小屋本体に対して取付構造を介して取り付けてあるカーテン部材と、を備え、当該カーテン部材が、当該出入口を少なくとも部分的に閉鎖可能に、かつ、閉鎖した状態で当該出入口へのペット出入を可能に構成してある。「少なくとも部分的」であるから、出入口やカーテン部材の形状、ペット飼育者の好み等に対応するために、出入口を部分的にしか閉鎖しない場合があり得るが、そのような場合も本考案の射程内である。
【０００７】
請求項１のペット小屋によれば、その出入口がカーテン部材により少なくとも部分的に閉鎖される。この閉鎖により、風、雨、雪等の進入や寒さを有効に防止できる。したがって、ペットにとって、住みよい環境を整えてあげることができる。閉鎖した状態で当該出入口へのペット出入が可能であるから、風、雨、雪等の進入を防ぎながら、ペットがペット小屋内へ出入することを許容する。カーテン部材は、取付構造の働きにより、ペット小屋本体に取り付けられている。
【０００８】
（請求項２記載の考案の特徴）
請求項２記載の考案に係るペット小屋は、請求項１のペット小屋であって、前記取付構造が、前記カーテン部材を前記小屋本体に対して着脱可能に構成してある。
【０００９】
請求項２のペット小屋によれば、請求項１のペット小屋の作用効果に加え、取付構造の働きにより、ペット小屋本体からカーテン部材を簡単に取り外すことができ、また、同じくカーテン部材を簡単に取りつけることができる。したがって、出入口を閉鎖する必要があるときは、カーテン部材を取り付けておき、開放する必要があるときはカーテン部材自体をペット小屋本体から取り外しておくことができる。着脱に際して特別な工具を使わないですむため、極めて便利である。
【００１０】
（請求項３記載の考案の特徴）
請求項３記載の考案に係るペット小屋は、請求項１又は２のペット小屋であって、前記カーテン部材が、幅方向に分かれる複数のカーテン片から構成してあり、当該カーテン片同士が、厚み方向に部分的に重なり合っている。
【００１１】
請求項３のペット小屋によれば、請求項１又は２のペット小屋の作用効果に加え、カーテン片同士の重なり合いにより、カーテン部材による出入口の閉鎖がより確実なものとなる。また、ペットがカーテン片の何れか一方又は両方を押すことにより、その重なり部分が割れるので、その割れ目からペットが出入することが可能になる。
【００１２】
（請求項４記載の考案の特徴）
請求項４記載の考案に係るペット小屋は、請求項１乃至３何れか記載のペット小屋であって、前記カーテン部材が、前記出入口を閉鎖した状態から少なくとも部分的に開放した状態まで復帰可能に変形できるように構成してある。たとえば、可撓性合成樹脂や、合成樹脂、木材、金属材等の小片を互いに屈曲可能に連結したものが、カーテン部材を構成しうる。
【００１３】
請求項４のペット小屋によれば、請求項１乃至３何れかのペット小屋の作用効果に加え、復帰可能な変形が、取り付けたカーテン部材を、取り付けたまま捲り上げたり巻き上げたりすること、すなわち、開放することを可能にする。
【００１４】
（請求項５記載の考案の特徴）
請求項５記載の考案に係るペット小屋は、請求項３又は４記載のペット小屋であって、前記カーテン部材と前記小屋本体との間には、当該カーテン部材を前記出入口を少なくとも部分的に開放した状態のまま保持するための保持構造を設けてある。
【００１５】
請求項５記載のペット小屋によれば、請求項３又は４のペット小屋の作用効果に加え、保持構造が開放状態のカーテン部材を、その状態に保持する。
【００１６】
（請求項６記載の考案の特徴）
請求項６記載の考案に係るペット小屋は、請求項５のペット小屋であって、前記保持構造が、前記カーテン部材下方に設けた引っ掛け孔又はカーテンフックと、前記小屋本体に設けた本体フック又は引っ掛け部材と、を含むものである。ここで「カーテン部材下方」とは、カーテン部材の縦方向中央から下の部分であって、小屋本体に保持させた場合に垂れ下がったカーテン部材下端が出入口を閉鎖しない（覆わない）で済む部分のことをいう。
【００１７】
請求項６のペット小屋によれば、請求項５のペット小屋の作用効果が、カーテン部材下端部に設けた引っ掛け孔又はカーテンフックと、前記小屋本体に設けた本体フック又は引っ掛け部材と、により具体的に生じる。捲り上げられたカーテン部材下端部が、フック作用により、そのままの状態で保持され、これにより、出入口が開放状態に保たれる。
【００１８】
（請求項７記載の考案の特徴）
請求項７記載の考案に係るペット小屋は、請求項５のペット小屋であって、前記保持構造が、前記小屋本体に形成した前記簾カーテンの下端部を受入支持可能なスリットを含むものである。
【００１９】
請求項７のペット小屋は、請求項５のペット小屋の作用効果が、スリットにより具体的に生じる。すなわち、捲り上げられたカーテン部材下端部が、スリットに受け入れられて保持され、これにより、出入口の開放状態が保たれる。
【００２０】
【考案の実施の形態】
各図を参照しながら、本考案の実施の形態（以下、適宜「本実施形態」という）について説明する。図１はペット小屋の出入口閉鎖状態を示す斜視図である。図２は、図１に示すペット小屋の小屋本体とカーテン部材とを分離した状態を示す斜視図である。図３は、図１に示すペット小屋の出入口を開放した状態を示す斜視図である。図４は、カーテン部材の取付構造の変形を示す斜視図である。図５は、図４に示すカーテン部材及び枠体のＡ−Ａ断面図である。図６は、支持構造の変形例を示す斜視図である。図７及び８は、カーテン部材の変形例を示す斜視図である。
【００２１】
（ペット小屋の概略構造）
図１乃至３に基づいて説明する。ペット小屋１は、主として犬を屋内外で飼育するための小屋であって、出入口６が開口する前面パネル３と、この全面パネル３の両脇に位置する両側面パネル７，７と、前面パネル３と対向する背面パネル１１と、これらの上に据え付ける屋根部１３と、底部を形成するスノコ部（スノコ構造）１５と、から概ね構成してある。前面パネル３には、出入口６を囲む枠体４を設けてあり、この枠体４上部には複数のネジ孔５を形成してある。枠体４には、出入口６を閉鎖するカーテン部材２１を取り付けてある。スノコ部２１を除く各部材は、符号２７で示すネジ等の固定部材により互いに連結してある。各部材は、比較的軽量であり加工もしやすく安価であることから、そのほとんどを合成樹脂材により構成してあるが、各部材の一部又は全部を木材や金属材等により構成してもよい。図３に示すように、側面パネル７には、本体フック８をとり付けてある。図３に示す他方の側面パネル７にも他の本体フック８を取り付けてあるが、小屋本体２の裏側に位置するため、図３では他の本体フック８を見ることができない。
【００２２】
（カーテン部材の構造）
図１乃至３に基づいて説明する。カーテン部材２１は、アーチ型の取付体２３と、この取付体２３から垂れ下がる２枚のカーテン片から構成してある。取付体２３には、複数（本実施形態では４個）の貫通孔２５を形成してあり、これらの貫通孔２５と枠体４のネジ孔５を使いカーテン部材２１を小屋本体２（枠体４）に固定するようにしてある。枠体４（ネジ孔５）及び取付体２３（貫通孔２５）が、本実施形態の取付構造１７を構成する。カーテン片は、可撓性透明樹脂により各々構成した第１カーテン片２９及び第２カーテン片３３からなり、両者は、図示するようにその一部を互いに重ね合わせてある。カーテン片間の隙間をなくして、閉鎖性を高めて両者間の隙間から風、雨、雪等が進入するのを防ぐとともに、寒さよけの効果を高める目的もある。両カーテン片を透明樹脂により構成したのは、外から見てペットが見えるようにするためと、ペットが外を見られるようにするのが、主な理由である。必要に応じて透明以外にも半透明や不透明なものでもよいし、そのようなものに彩色や絵柄等を施したカーテン片であってもよい。可撓性樹脂以外にも、可撓性のない樹脂片、木片、金属片等をつなぎ合わせることにより全体が実質的に可撓性を有するように構成し、これを、カーテン片として用いることもできる。カーテン片の数は、２枚以外の数、すなわち、３枚以上としても構わない。
【００２３】
第１カーテン片２９の下端側方には第１引っ掛け孔３１を、第２カーテン片３３の下端側方には第２引っ掛け孔３５を、それぞれ貫通形成し、その周りを補強リングにより補強してある。第１引っ掛け孔３１及び第２引っ掛け孔３５は、図３に示すように、第１カーテン片２９及び第２カーテン片３３を捲り上げたときに、それら各々を本体フック８に引っ掛けてその捲り上げ状態、すなわち、開放状態に保持するためのものである。図示は省略するが、２枚のカーテン片のうち何れか一方だけを捲り上げ、他方を下げたままにしても構わない。必要と好みに応じて適宜、選択するとよい。第１引っ掛け孔３１及び第２引っ掛け孔３５と、両本体フック８が、本実施形態の保持構造１９を構成する。上記の組み合わせとは逆に、小屋本体２側に引っ掛け孔に相当するものを設け両カーテン片２９，３３側に引っ掛けフックに相当するものを設けるようにしてもよい。
【００２４】
（取付構造の変形例）
図４及び５に基づいて説明する。上述した取付構造１７は、ネジ固定によるものであるから、カーテン部材２１の着脱はドライバー等の工具が必要となるが、これをワンタッチで着脱可能に構成したのが、この変形例である。すなわち、本変形例に係る取付構造４１は、枠体４に貫通させた複数の被取付孔４３と、取付体２３から小屋本体２方向に突き出す複数の一対の可撓アーム４５とにより構成してある（図５参照）。各可撓アーム４５は、可撓性樹脂により構成してあり、図５の想像線で示すように、被取付孔４３に押し付けられたときに、当接する被取付孔４３の内周面がカムの働きをして両者間の距離を縮め、これにより、各可撓アーム４５が有する突起４６が被取付孔４３を通過可能にし、通過後の両可撓アーム４５の弾性復帰により突起４６がつかえて容易に抜けないようにしてある。
【００２５】
上記の取付工程とは逆に、取外工程においては、取付体２３を持って取付方向とは逆方向（図５の右方向）に引くと、取り付けるときの作用と同じ作用により各可撓アーム４５間の距離が縮まって突起４６のつかえがとれる。そのまま同方向に引けば、取付体２３を小屋本体２（枠体４）から取り外すことができる。上述したように、取付構造４１によれば、カーテン部材２１の小屋本体２に対する着脱をワンタッチで行うことができてたいへん便利である。この着脱機能を用いて、出入口６を閉鎖するときにだけカーテン部材２１を取り付け、また、開放したいときはカーテン部材２１自体を小屋本体２から取り外すようにしてもよい。
【００２６】
（保持構造の変形例）
図６に基づいて説明する。図６に示す保持構造５１は、小屋本体２、具体的には、前面パネル３の両脇に形成した収納スリット５３，５５により構成してある。収納スリット５３，５５は各カーテン片２９，３３の裾部分を差込可能、かつ、差込後に抜けづらい位置に設ける必要がある。抜けづらい位置とは、差し込まれるカーテン片の部分とそれ以外の部分とのバランスから、抜けづらくするという意味である。すなわち、裾部分の僅か一部しか差し込めないとすると抜けやすいが、図６に示すようにカーテン片全長の３分の１程度を差込可能であれば外にある部分の荷重により差し込んだ部分が引き出されることがほとんどないので、バランスがとれたことになる。このようなバランスがとれるのであれば、収納スリットの形成位置は、図６に示す位置に限らない。出入口６の上方部分の全面パネル３や屋根部１３でも構わない。保持構造５１の利点として、構造自体が比較的単純であること、両カーテン片２９，３３の裾部分に孔を開けるなどの特別な加工が要らないということ、が挙げられる。
【００２７】
（本実施形態の変形例）
図７及び８に基づいて説明する。本変形例が本実施形態と異なるのは、カーテン部材の取付構造及び出入口の開閉方法である。以下の説明では、異なる部分についてだけ説明し、共通部分についての説明は重複を避けるために省略する。すなわち、小屋本体２の前面パネル３には、その出入口６上部に一対の支持フック６３を取り付けてある。これらの支持フック６３は、カーテン部材６１の巻き芯６５の両端を回転可能に着脱自在に支持するためのものであって、これらに支持された巻き芯６５を回転させることにより第１カーテン片６７及び第２カーテン片６９を、図示するように巻き上げられるように構成してある。また、巻き芯６５には、ストッパーピン６６を設けてあり、このストッパーピン６６を適宜、支持フック６３と係合させることにより、第１カーテン片６７及び第２カーテン片６９の巻上げを所望の量に調整することができる。巻き上げた後のカーテン部材６１は、そのまま支持フック６３に支持させておくことにより、また、カーテン部材６１自体を小屋本体２から取り外すことにより、出入口６を開放状態に保持することができる。
【００２８】
【考案の効果】
本考案によれば、ペット小屋の出入口の設けたカーテン部材により、出入口を閉鎖して風、雨、雪等の進入と寒さを防ぐことができる。さらに、カーテン部材を設けたまま、出入口を開放状態に保つことができる。
【図面の簡単な説明】
【図１】ペット小屋の出入口閉鎖状態を示す斜視図である。
【図２】図１に示すペット小屋の小屋本体とカーテン部材とを分離した状態を示す斜視図である。
【図３】図１に示すペット小屋の出入口を開放した状態を示す斜視図である。
【図４】カーテン部材の取付構造の変形を示す斜視図である。
【図５】図４に示すカーテン部材及び枠体のＡ−Ａ断面図である。
【図６】支持構造の変形例を示す斜視図である。
【図７】カーテン部材の変形例を示す斜視図である。
【図８】カーテン部材の変形例を示す斜視図である。
【符号の説明】
１　　ペット小屋
２　　小屋本体
３　　前面パネル
４　　枠体
５　　ネジ孔
６　　出入口
７　　側面パネル
８　　本体フック
１１　　背面パネル
１３　　屋根部
１５　　スノコ部
１７　　取付構造
１９　　保持構造
２１　　カーテン部材
２３　　取付体
２５　　貫通孔
２７　　ネジ
２９　　第１カーテン片
３１　　第１引っ掛け孔
３３　　第２カーテン片
３５　　第２引っ掛け孔
４１　　取付構造
４３　　被取付孔
４５　　可撓アーム対
５１　　保持構造
５３　　収納スリット
５５　　収納スリット
６１　　カーテン部材
６３　　支持フック
６５　　巻き芯
６６　　ストッパーピン
６７　　第１カーテン片
６９　　第２カーテン片
【図１】
0003097684.tif 000003
【図２】
0003097684.tif 000004
【図３】
0003097684.tif 000005
【図４】
0003097684.tif 000006
【図５】
0003097684.tif 000007
【図６】
0003097684.tif 000008
【図７】
0003097684.tif 000009
【図８】
0003097684.tif 000010